(57)【要約】      （修正有）【課題】屋外の物干し竿や通常の軒下等に吊下げて使用しても通り雨程度であれば充分対応することができて干しなおす必要がなく、しかもより乾燥効率を高めることができる洗濯物の防虫・防犯・撥水ネットを提供する。【解決手段】屋根部と、該屋根部と所定の間隔で配置した底部と、前記屋根部と底部との周縁を連結する側周部とを備えた洗濯物の防虫・防犯・撥水ネットであって、屋根部材は撥水性および通気性のあるシート構造からなり、底部および側周部は虫の侵入を防止できるメッシュサイズの、かつ撥水性を備えたネットからなり、前記屋根部の所定位置には、洗濯物ハンガのネック部分を引き出し可能で、かつ密閉できるようになっており、前記洗濯物ハンガは、底部もしくは側周部に設けた開閉自在の取出し口から出し入れ可能となっていることを特徴とする。【選択図】図４
0003156484.tif 000002
【実用新案登録請求の範囲】
【請求項１】
屋根部と、該屋根部と所定の間隔で配置した底部と、前記屋根部と底部との周縁を連結する側周部とを備えた洗濯物の防虫ネットであって、
屋根部材は撥水性および通気性のあるシート構造からなり、
底部および側周部は虫の侵入を防止できるメッシュサイズの、かつ撥水性を備えたネットからなり、
前記屋根部の所定位置には、洗濯物ハンガのネック部分を引き出し可能で、かつ密閉できるようになっており、
前記洗濯物ハンガは、底部もしくは側周部に設けた開閉自在の取出し口から出し入れ可能となっていることを特徴とする洗濯物の防虫ネット。
【請求項２】
前記屋根部材を構成する撥水性および通気性のあるシート構造が、
プラスチックシートに多数の通気孔を形成した構造、または通気性を備えたネットからなることを特徴とする請求項１に記載の洗濯物の防虫ネット。
【請求項３】
前記底部もしくは側周部に設けた開閉自在の取出し口が、
底部を横断して、側周部から屋根部の縁端部まで延長するよう形成したことを特徴とする請求項１または２に記載の洗濯物の防虫ネット。
【請求項４】
前記底部および側周部の撥水性を備えたネットが、洗濯物を外部からは見えないメッシュサイズとしたことを特徴とする請求項１ないし３のいずれかに記載の洗濯物の防虫ネット。
【考案の詳細な説明】
【技術分野】
【０００１】
本考案は、洗濯物の防虫ネットに係り、特に、近年異常発生しているカメムシ等の害虫による洗濯物の汚損に対応することができる洗濯物の防虫ネットの提供を目的とするものである。
【背景技術】
【０００２】
従来の洗濯物の防虫ネットとしては屋根部の周縁から側周部を垂下させたネット素材からなる物干し用ネットが一般に市販されている。
しかしながら、近年大量発生しているカメムシ等の害虫は、前記防虫ネットの底部から侵入して洗濯物に取り付き、乾燥後に室内に取り込んだ後、洗濯物を着用しようとする際等に異常な悪臭を発生して悲惨な目にあうことが頻発している。
【０００３】
そこで、例えば特開２００７−１４４０８７号公報（特許文献１参照）のような、上の円の中心から下の円の中心までファスナを取り付けて、洗濯物が出し入れしやすくし、上端のゴムにスナップボタンを取り付けることにより、害虫や花粉等が入りづらくしたネット素材の物干し用覆い布が知られている。
【０００４】
さらに、特開２００３−３２６０９５号公報（特許文献２参照）のような、物干し器具と、該物干し器具に吊り下げられる洗濯物とをカバーするようになっているネットであって、該ネットは、その一部には開閉部分が設けられ、該開閉部分はファスナ、ホック等により閉じられるようになっている物干し用ネットも知られている。
【先行技術文献】
【特許文献】
【０００５】
【特許文献１】特開２００７−１４４０８７号公報
【特許文献２】特開２００３−３２６０９５号公報
【考案の概要】
【考案が解決しようとする課題】
【０００６】
しかしながら、前記いずれの先行技術における物干し用覆い布あるいは物干し用ネットも、サンルーフや雨露をしのげる軒下に吊下げて使用する場合にはなんの問題もないが、屋外の物干し竿や通常の軒下等に吊下げて使用する場合は、ほとんど防水機能がなく、再度改めて干し直さなければならないという問題点があった。
【０００７】
この考案の洗濯物の防虫ネットは、従来例の以上のような問題点を解消しようとするものであり、屋外の物干し竿や通常の軒下等に吊下げて使用しても通り雨程度であれば充分対応することができて干しなおす必要がなく、しかもより乾燥効率を高めることができる洗濯物の防虫ネットを提供しようとするものである。
【課題を解決するための手段】
【０００８】
すなわちこの考案の洗濯物の防虫ネットは、
屋根部と、該屋根部と所定の間隔で配置した底部と、前記屋根部と底部との周縁を連結する側周部とを備えた洗濯物の防虫ネットであって、
屋根部材は撥水性および通気性のあるシート構造からなり、
底部および側周部は虫の侵入を防止できるメッシュサイズの、かつ撥水性を備えたネットからなり、
前記屋根部の所定位置には、洗濯物ハンガのネック部分を引き出し可能で、かつ密閉できるようになっており、
前記洗濯物ハンガは、底部もしくは側周部に設けた開閉自在の取出し口から出し入れ可能となっていることを特徴とするものである。
【０００９】
この考案の洗濯物の防虫ネットは、前記屋根部材を構成する撥水性および通気性のあるシート構造が、プラスチックシートに多数の通気孔を形成した構造、または撥水性および通気性を備えたネットからなることをも特徴とするものである。
【００１０】
この考案の洗濯物の防虫ネットは、前記底部もしくは側周部に設けた開閉自在の取出し口が、底部を横断して、側周部から屋根部の縁端部まで延長するよう形成したことをも特徴とするものである。
【００１１】
この考案の洗濯物の防虫ネットは、前記底部および側周部の撥水性を備えたネットが、洗濯物を外部からは見えないメッシュサイズとしたことをも特徴とするものである。
【考案の効果】
【００１２】
請求項１の考案においては、屋根部と、該屋根部と所定の間隔で配置した底部と、前記屋根部と底部との周縁を連結する側周部とを備えた洗濯物の防虫ネットであって、底部および側周部は虫の侵入を防止できるメッシュサイズの、かつ撥水性を備えたネットからなっており、したがって洗濯物ハンガを、底部もしくは側周部に設けた開閉自在の取出し口から出し入れ可能としたため、カメムシ等の洗濯物に付着させたくない害虫から洗濯物を守ることができる。
【００１３】
請求項２の考案においては、前記屋根部材を構成する撥水性および通気性のあるシート構造が、プラスチックシートに多数の通気孔を形成したものからなり、洗濯物ハンガの取付けが簡単でしかもプラスチックシートは洗濯物に接触しないので、洗濯物を汚すことのない洗濯物の防虫ネットを提供することが可能となった。
【００１４】
請求項３に考案においては、前記屋根部材を構成する通気性のあるシート構造が、撥水性および通気性を備えたネットからなり、通気性を大幅に向上させることができ、しかも側周部との縫製加工がしやすく、一体感のある洗濯物の防虫ネットを提供することが可能となった。
【００１５】
請求項４の考案においては、前記底部もしくは側周部に設けた開閉自在の取出し口が、底部を横断して、側周部から屋根部の縁端部まで延長するよう形成してあるので、洗濯物ハンガの出し入れが簡単な洗濯物の防虫ネットを提供することが可能となった。
【００１６】
請求項５に考案においては、前記底部および側周部の撥水性を備えたネットが、洗濯物を外部からは見えないメッシュサイズとしたので、他人に洗濯物をさらすという不快感を低らすことができ、また防犯面でも効果のある洗濯物の防虫ネットを提供することが可能となった。
【図面の簡単な説明】
【００１７】
【図１】この考案の洗濯物の防虫ネットの実施形態を示す斜視図である。
【図２】洗濯物の取出し口を開いた状態の斜視図である。
【図３】洗濯物ハンガの側面図である。
【図４】洗濯物ハンガとこの考案の洗濯物の防虫ネットとを組み付けた状態の側面図である。
【考案を実施するための形態】
【００１８】
図１および図２は、この考案の洗濯物の防虫ネット１０の実施の形態を示すものであり、屋根部１１と、該屋根部１１と所定の間隔で配置した底部１２と、前記屋根部１１と底部１２との周縁を連結する側周部１３とを備えている。
そして、屋根部１１を構成する屋根部材は撥水性および通気性のあるシート構造からなり、例えば、プラスチックシートに多数の通気孔を形成した構造や、撥水性および通気性を備えたネット素材を用いることができる。
前記プラスチックシートに多数の通気孔を形成した構造を採用した場合、洗濯物ハンガの取付けが簡単でしかもプラスチックシートは洗濯物に接触しないので、洗濯物を汚すことのない洗濯物の防虫ネットを提供することができる。
また前記撥水性および通気性を備えたネット素材を用いた場合、通気性を大幅に向上させることができ、しかも側周部との縫製加工がしやすく、一体感のある洗濯物の防虫ネットを提供することができる。
【００１９】
前記底部１２および側周部１３は、虫の侵入を防止できるメッシュサイズのネット構造とすることが望ましく、通気性を損なわない限り、より目の細かなネットを用いることができる。この前記底部１２および側周部１３に使用するネットも、撥水性を備えたネット素材からなり、したがって、屋外の物干し竿や通常の軒下等に吊下げて使用しても通り雨程度であれば充分対応することができて干しなおす必要がなく、しかもより乾燥効率を高めることができる。
【００２０】
前記屋根部１１の所定位置には、洗濯物ハンガ２１（図３参照）のネック部分２２を引き出し可能な筒状の開口部１５が形成され、かつ前記開口部１５はネット素材でできているため、紐１６等で結束することにより密閉できるようになっている。
さらに、前記洗濯物ハンガ２１は、底部１２もしくは側周部１３に設けた開閉自在の取出し口１４から出し入れ可能となっている。
この実施形態の洗濯物の防虫ネットは、前記底部１２もしくは側周部１３に設けた開閉自在の取出し口１４が、底部１２を横断して、側周部１３から屋根部１１の縁端部まで延長するよう形成してある。
【００２１】
したがって洗濯物ハンガ２１を、底部１２もしくは側周部１３に設けた開閉自在の取出し口１４から出し入れ可能としたため、使用前に一旦この考案の洗濯物の防虫ネット１０を振って害虫を振り払っておけば、カメムシ等の洗濯物に付着させたくない害虫から洗濯物を確実に守ることができる。
もちろん、前記底部１２もしくは側周部１３に設けた開閉自在の取出し口１４を、底部１２を横断して、側周部１３から屋根部１１の縁端部まで延長するよう形成してあるので、洗濯物ハンガ２１の出し入れが極めて簡単な洗濯物の防虫ネットを提供することが可能となる。
【００２２】
この実施形態の洗濯物の防虫ネットにおいては、前記底部１２および側周部１３の撥水性を備えたネットとして、洗濯物を外部からは見えないメッシュサイズとすることにより、他人に洗濯物をさらすという不快感を低らすことができ、また防犯面でも効果のある洗濯物の防虫ネットを提供することができる。
【００２３】
図３および図４は、洗濯物ハンガ２１および洗濯物ハンガ２１とこの実施形態の洗濯物の防虫ネット１０とを組み付けた状態のそれぞれ側面図である。
この実施形態の洗濯物ハンガ２１は、ほぼ正方形に連結した横バー２３を備え、各横バー２３にはそれぞれ、各洗濯物を取り付ける洗濯バサミ２４が所定の間隔で吊下げられている。また、前記各横バー２３の連結部分からは、正方形の中心に向けて斜め上向きに骨２５が延設され、骨２５の収束部分には前記ネック部分２２の下部がはめ込まれている。
このような洗濯物ハンガ２１は、各横バー２３をほぼ中央で折りたためるようになっており、全体を細長く折込むことができるようになっている。
【００２４】
この考案の洗濯物の防虫ネットの使用に際しては、洗濯物ハンガ２１の洗濯バサミ２４に洗濯物を吊下げた状態で取出し口１４から防虫ネット１０内に押し込み、筒状の開口部１５から前記ネック部分２２を引き出した後、紐１６等で前記開口部１５を結束することにより密閉する。
次いで、前記底部１２から側周部１３にかけて形成した取出し口１４のファスナ１７を閉じれば、洗濯物ハンガ２１への防虫ネット１０の装着が完了する。
もちろん、洗濯物ハンガ２１を防虫ネット１０から取り出すには、上記操作と逆の操作をすればよい。
【産業上の利用可能性】
【００２５】
この考案の洗濯物の防虫ネットは、洗濯物の乾燥に使用するものであればどのような洗濯物ハンガにも使用することができ、例えば正方形の洗濯物ハンガのみならず、丸型や多角形型、三角形等の幅広い形状の洗濯物ハンガに適用することができる。
【符号の説明】
【００２６】
１１  屋根部
１２  底部
１３  側周部
１４  取出し口
１５  開口部
１６  紐
１７  ファスナ
２１  洗濯物ハンガ
２２  ネック部分
２３  横バー
２４  洗濯バサミ
２５  骨
【図１】
0003156484.tif 000003
【図２】
0003156484.tif 000004
【図３】
0003156484.tif 000005
【図４】
0003156484.tif 000006
【手続補正書】
【提出日】平成21年10月26日(2009.10.26)
【手続補正１】
【補正対象書類名】実用新案登録請求の範囲
【補正対象項目名】全文
【補正方法】変更
【補正の内容】
【実用新案登録請求の範囲】
【請求項１】
屋根部と、該屋根部と所定の間隔で配置した底部と、前記屋根部と底部との周縁を連結する側周部とを備えた洗濯物の防虫・防犯・撥水ネットであって、
屋根部材は撥水性および通気性のあるシート構造からなり、
底部および側周部は虫の侵入を防止できるメッシュサイズの、かつ撥水性を備えたネットからなり、
前記屋根部の所定位置には、洗濯物ハンガのネック部分を引き出し可能で、かつ密閉できるようになっており、
前記洗濯物ハンガは、底部もしくは側周部に設けた開閉自在の取出し口から出し入れ可能となっていることを特徴とする洗濯物の防虫・防犯・撥水ネット。
【請求項２】
前記屋根部材を構成する撥水性および通気性のあるシート構造が、
プラスチックシートに多数の通気孔を形成した構造、または通気性を備えたネットからなることを特徴とする請求項１に記載の洗濯物の防虫・防犯・撥水ネット。
【請求項３】
前記底部もしくは側周部に設けた開閉自在の取出し口が、
底部を横断して、側周部から屋根部の縁端部まで延長するよう形成したことを特徴とする請求項１または２に記載の洗濯物の防虫・防犯・撥水ネット。
【請求項４】
前記底部および側周部の撥水性を備えたネットが、洗濯物を外部からは見えずらいメッシュサイズとしたことを特徴とする請求項１ないし３のいずれかに記載の洗濯物の防虫・防犯・撥水ネット。
【手続補正２】
【補正対象書類名】明細書
【補正対象項目名】全文
【補正方法】変更
【補正の内容】
【考案の詳細な説明】
【技術分野】
【０００１】
本考案は、洗濯物の防虫・防犯・撥水ネットに係り、特に、近年異常発生しているカメムシ等の害虫による洗濯物の汚損に対応することができる洗濯物の防虫・防犯・撥水ネットの提供を目的とするものである。
【背景技術】
【０００２】
従来の洗濯物の防虫ネットとしては屋根部の周縁から側周部を垂下させたネット素材からなる物干し用ネットが一般に市販されている。
しかしながら、近年大量発生しているカメムシ等の害虫は、前記防虫ネットの底部から侵入して洗濯物に取り付き、乾燥後に室内に取り込んだ後、洗濯物を着用しようとする際等に異常な悪臭を発生して悲惨な目にあうことが頻発している。
【０００３】
そこで、例えば特開２００７−１４４０８７号公報（特許文献１参照）のような、上の円の中心から下の円の中心までファスナを取り付けて、洗濯物が出し入れしやすくし、上端のゴムにスナップボタンを取り付けることにより、害虫や花粉等が入りづらくしたネット素材の物干し用覆い布が知られている。
【０００４】
さらに、特開２００３−３２６０９５号公報（特許文献２参照）のような、物干し器具と、該物干し器具に吊り下げられる洗濯物とをカバーするようになっているネットであって、該ネットは、その一部には開閉部分が設けられ、該開閉部分はファスナ、ホック等により閉じられるようになっている物干し用ネットも知られている。
【先行技術文献】
【特許文献】
【０００５】
【特許文献１】特開２００７−１４４０８７号公報
【特許文献２】特開２００３−３２６０９５号公報
【考案の概要】
【考案が解決しようとする課題】
【０００６】
しかしながら、前記いずれの先行技術における物干し用覆い布あるいは物干し用ネットも、サンルーフや雨露をしのげる軒下に吊下げて使用する場合にはなんの問題もないが、屋外の物干し竿や通常の軒下等に吊下げて使用する場合は、ほとんど防水機能がなく、再度改めて干し直さなければならないという問題点があった。
【０００７】
この考案の洗濯物の防虫・防犯・撥水ネットは、従来例の以上のような問題点を解消しようとするものであり、屋外の物干し竿や通常の軒下等に吊下げて使用しても通り雨程度であれば充分対応することができて干しなおす必要がなく、しかもより乾燥効率を高めることができる洗濯物の防虫・防犯・撥水ネットを提供しようとするものである。
【課題を解決するための手段】
【０００８】
すなわちこの考案の洗濯物の防虫・防犯・撥水ネットは、
屋根部と、該屋根部と所定の間隔で配置した底部と、前記屋根部と底部との周縁を連結する側周部とを備えた洗濯物の防虫・防犯・撥水ネットであって、
屋根部材は撥水性および通気性のあるシート構造からなり、
底部および側周部は虫の侵入を防止できるメッシュサイズの、かつ撥水性を備えたネットからなり、
前記屋根部の所定位置には、洗濯物ハンガのネック部分を引き出し可能で、かつ密閉できるようになっており、
前記洗濯物ハンガは、底部もしくは側周部に設けた開閉自在の取出し口から出し入れ可能となっていることを特徴とするものである。
【０００９】
この考案の洗濯物の防虫・防犯・撥水ネットは、前記屋根部材を構成する撥水性および通気性のあるシート構造が、プラスチックシートに多数の通気孔を形成した構造、または撥水性および通気性を備えたネットからなることをも特徴とするものである。
【００１０】
この考案の洗濯物の防虫・防犯・撥水ネットは、前記底部もしくは側周部に設けた開閉自在の取出し口が、底部を横断して、側周部から屋根部の縁端部まで延長するよう形成したことをも特徴とするものである。
【００１１】
この考案の洗濯物の防虫・防犯・撥水ネットは、前記底部および側周部の撥水性を備えたネットが、洗濯物を外部からは見えずらいメッシュサイズとしたことをも特徴とするものである。
【考案の効果】
【００１２】
請求項１の考案においては、屋根部と、該屋根部と所定の間隔で配置した底部と、前記屋根部と底部との周縁を連結する側周部とを備えた洗濯物の防虫・防犯・撥水ネットであって、底部および側周部は虫の侵入を防止できるメッシュサイズの、かつ撥水性を備えたネットからなっており、したがって洗濯物ハンガを、底部もしくは側周部に設けた開閉自在の取出し口から出し入れ可能としたため、カメムシ等の洗濯物に付着させたくない害虫から洗濯物を守ることができる。
【００１３】
請求項２の考案においては、前記屋根部材を構成する撥水性および通気性のあるシート構造が、プラスチックシートに多数の通気孔を形成したものからなり、洗濯物ハンガの取付けが簡単でしかもプラスチックシートは洗濯物に接触しないので、洗濯物を汚すことのない洗濯物の防虫・防犯・撥水ネットを提供することが可能となった。
【００１４】
請求項３に考案においては、前記屋根部材を構成する通気性のあるシート構造が、撥水性および通気性を備えたネットからなり、通気性を大幅に向上させることができ、しかも側周部との縫製加工がしやすく、一体感のある洗濯物の防虫・防犯・撥水ネットを提供することが可能となった。
【００１５】
請求項４の考案においては、前記底部もしくは側周部に設けた開閉自在の取出し口が、底部を横断して、側周部から屋根部の縁端部まで延長するよう形成してあるので、洗濯物ハンガの出し入れが簡単な洗濯物の防虫・防犯・撥水ネットを提供することが可能となった。
【００１６】
請求項５に考案においては、前記底部および側周部の撥水性を備えたネットが、洗濯物を外部からは見えずらいメッシュサイズとしたので、他人に洗濯物をさらすという不快感を低らすことができ、また防犯面でも効果のある洗濯物の防虫・防犯・撥水ネットを提供することが可能となった。
【図面の簡単な説明】
【００１７】
【図１】この考案の洗濯物の防虫・防犯・撥水ネットの実施形態を示す斜視図である。
【図２】洗濯物の取出し口を開いた状態の斜視図である。
【図３】洗濯物ハンガの側面図である。
【図４】洗濯物ハンガとこの考案の洗濯物の防虫・防犯・撥水ネットとを組み付けた状態の側面図である。
【考案を実施するための形態】
【００１８】
図１および図２は、この考案の洗濯物の防虫・防犯・撥水ネット１０の実施の形態を示すものであり、屋根部１１と、該屋根部１１と所定の間隔で配置した底部１２と、前記屋根部１１と底部１２との周縁を連結する側周部１３とを備えている。
そして、屋根部１１を構成する屋根部材は撥水性および通気性のあるシート構造からなり、例えば、プラスチックシートに多数の通気孔を形成した構造や、撥水性および通気性を備えたネット素材を用いることができる。
前記プラスチックシートに多数の通気孔を形成した構造を採用した場合、洗濯物ハンガの取付けが簡単でしかもプラスチックシートは洗濯物に接触しないので、洗濯物を汚すことのない洗濯物の防虫・防犯・撥水ネットを提供することができる。
また前記撥水性および通気性を備えたネット素材を用いた場合、通気性を大幅に向上させることができ、しかも側周部との縫製加工がしやすく、一体感のある洗濯物の防虫・防犯・撥水ネットを提供することができる。
【００１９】
前記底部１２および側周部１３は、虫の侵入を防止できるメッシュサイズのネット構造とすることが望ましく、通気性を損なわない限り、より目の細かなネットを用いることができる。この前記底部１２および側周部１３に使用するネットも、撥水性を備えたネット素材からなり、したがって、屋外の物干し竿や通常の軒下等に吊下げて使用しても通り雨程度であれば充分対応することができて干しなおす必要がなく、しかもより乾燥効率を高めることができる。
【００２０】
前記屋根部１１の所定位置には、洗濯物ハンガ２１（図３参照）のネック部分２２を引き出し可能な筒状の開口部１５が形成され、かつ前記開口部１５はネット素材でできているため、紐１６等で結束することにより密閉できるようになっている。
さらに、前記洗濯物ハンガ２１は、底部１２もしくは側周部１３に設けた開閉自在の取出し口１４から出し入れ可能となっている。
この実施形態の洗濯物の防虫・防犯・撥水ネットは、前記底部１２もしくは側周部１３に設けた開閉自在の取出し口１４が、底部１２を横断して、側周部１３から屋根部１１の縁端部まで延長するよう形成してある。
【００２１】
したがって洗濯物ハンガ２１を、底部１２もしくは側周部１３に設けた開閉自在の取出し口１４から出し入れ可能としたため、使用前に一旦この考案の洗濯物の防虫・防犯・撥水ネット１０を振って害虫を振り払っておけば、カメムシ等の洗濯物に付着させたくない害虫から洗濯物を確実に守ることができる。
もちろん、前記底部１２もしくは側周部１３に設けた開閉自在の取出し口１４を、底部１２を横断して、側周部１３から屋根部１１の縁端部まで延長するよう形成してあるので、洗濯物ハンガ２１の出し入れが極めて簡単な洗濯物の防虫・防犯・撥水ネットを提供することが可能となる。
【００２２】
この実施形態の洗濯物の防虫・防犯・撥水ネットにおいては、前記底部１２および側周部１３の撥水性を備えたネットとして、洗濯物を外部からは見えずらいメッシュサイズとすることにより、他人に洗濯物をさらすという不快感を低らすことができ、また防犯面でも効果のある洗濯物の防虫・防犯・撥水ネットを提供することができる。
【００２３】
図３および図４は、洗濯物ハンガ２１および洗濯物ハンガ２１とこの実施形態の洗濯物の防虫・防犯・撥水ネット１０とを組み付けた状態のそれぞれ側面図である。
この実施形態の洗濯物ハンガ２１は、ほぼ正方形に連結した横バー２３を備え、各横バー２３にはそれぞれ、各洗濯物を取り付ける洗濯バサミ２４が所定の間隔で吊下げられている。また、前記各横バー２３の連結部分からは、正方形の中心に向けて斜め上向きに骨２５が延設され、骨２５の収束部分には前記ネック部分２２の下部がはめ込まれている。
このような洗濯物ハンガ２１は、各横バー２３をほぼ中央で折りたためるようになっており、全体を細長く折込むことができるようになっている。
【００２４】
この考案の洗濯物の防虫・防犯・撥水ネットの使用に際しては、洗濯物ハンガ２１の洗濯バサミ２４に洗濯物を吊下げた状態で取出し口１４から防虫ネット１０内に押し込み、筒状の開口部１５から前記ネック部分２２を引き出した後、紐１６等で前記開口部１５を結束することにより密閉する。
次いで、前記底部１２から側周部１３にかけて形成した取出し口１４のファスナ１７を閉じれば、洗濯物ハンガ２１への防虫ネット１０の装着が完了する。
もちろん、洗濯物ハンガ２１を防虫ネット１０から取り出すには、上記操作と逆の操作をすればよい。
【産業上の利用可能性】
【００２５】
この考案の洗濯物の防虫・防犯・撥水ネットは、洗濯物の乾燥に使用するものであればどのような洗濯物ハンガにも使用することができ、例えば正方形の洗濯物ハンガのみならず、丸型や多角形型、三角形等の幅広い形状の洗濯物ハンガに適用することができる。
【符号の説明】
【００２６】
１１  屋根部
１２  底部
１３  側周部
１４  取出し口
１５  開口部
１６  紐
１７  ファスナ
２１  洗濯物ハンガ
２２  ネック部分
２３  横バー
２４  洗濯バサミ
２５  骨